(57)【要約】【課題】大型化することなく、洗浄力を低下させないようにした、大型のマスク版を洗浄することができる洗浄装置。【解決手段】本発明に係る洗浄装置は、洗浄液をマスク版に噴射する複数のノズルと、複数のノズルが設置されている複数のノズル配管と、複数のノズル配管のそれぞれに設置され、開閉を個別に制御可能な自動弁と、を備えている。【選択図】図１
2017087700.tif 000002
【特許請求の範囲】
【請求項１】
洗浄部内に配置されたマスク版に洗浄液を噴射して該マスク版を洗浄する洗浄装置であって、
前記洗浄液を前記マスク版に噴射する複数のノズルと、
前記複数のノズルが設置されている複数のノズル配管と、
前記複数のノズル配管のそれぞれに設置され、開閉を個別に制御可能な自動弁と、を備えた
洗浄装置。
【請求項２】
前記洗浄部は前記マスク版を中心に左右の洗浄エリアに分けられ、
前記ノズルは前記左右の洗浄エリアのそれぞれに設置され、
前記マスク版は前記左右の洗浄エリアにおいて洗浄面がそれぞれの前記ノズルの方に向くように配置される
請求項１に記載の洗浄装置。
【請求項３】
前記ノズル配管に洗浄液を分岐するヘッダー分岐管を前記自動弁の上流側に設けた
請求項１又は２に記載の洗浄装置。
【発明の詳細な説明】
【技術分野】
【０００１】
本発明は、スクリーン印刷に利用されるマスク版を洗浄する洗浄装置の構造に関し、特に大型化したマスク版に対応した洗浄装置に関するものである。
【背景技術】
【０００２】
従来、この種の装置は、特開平１０−０７１７０５号公報に開示されているようなスクリーン版洗浄装置が一般であった。このような洗浄装置における洗浄構造は、タンクに洗浄液を貯蔵し、ポンプにて洗浄液を運び、フィルターを通過させ、洗浄エリアのある配管へ送り、配管を分岐し、その配管にスプレーノズルを配置して、洗浄対象物に同時に洗浄液を噴射するようになっている。そして、洗浄後の洗浄液は、タンクに戻し、洗浄液を循環させて連続的に洗浄する構造となっていた。
【先行技術文献】
【特許文献】
【０００３】
【特許文献１】特開平１０−０７１７０５号公報
【発明の概要】
【発明が解決しようとする課題】
【０００４】
しかしながら、上記特許文献１に開示されているような構造では、スプレーノズルから噴射する洗浄液は洗浄対象物が大きくなると、その分だけスプレーノズルの数を増やし、大量の洗浄液を一定の圧力で送らなければならない。そのため、その能力に合った大型のポンプ、大型の配管、大型のフィルター、大型のタンク、大量の洗浄液が必要となり、洗浄装置が大型になってしまうという問題点があった。さらに、洗浄対象物のマスク版は大型になると洗浄面積が増大する。そのため、洗浄中の液の重さに耐えられず、洗浄液を少なく噴射する必要があり、洗浄力が低下してしまうという問題点があった。
【０００５】
本発明は、上記のような問題点を解決するためになされたものであり、大型化することなく、洗浄力を低下させないようにした、大型のマスク版を洗浄することができる洗浄装置を提供するものである。
【課題を解決するための手段】
【０００６】
本発明に係る洗浄装置は、洗浄部内に配置されたマスク版に洗浄液を噴射して該マスク版を洗浄する洗浄装置であって、前記洗浄液を前記マスク版に噴射する複数のノズルと、前記複数のノズルが設置されている複数のノズル配管と、前記複数のノズル配管のそれぞれに設置され、開閉を個別に制御可能な自動弁と、を備えたものである。
【発明の効果】
【０００７】
本発明によれば、個別制御可能な自動弁をノズル配管のそれぞれに設置しているので、洗浄液を効率的に洗浄対象物であるマスク版に噴射することができ、大型のマスク版の洗浄においても従来サイズのポンプ、タンク、フィルターの適用が可能で、装置の大きさを抑えることができる。
【図面の簡単な説明】
【０００８】
【図１】本発明の実施の形態に係る洗浄装置の配管系統を概略的に示す配管系統図である。
【図２】本発明の実施の形態に係る洗浄装置が実行するマスク版の洗浄を説明するための概略斜視図である。
【発明を実施するための形態】
【０００９】
以下、本発明に係る洗浄装置について、図面を参照しながら説明する。なお、以下に説明する実施の形態によって本発明が限定されるものではない。また、以下の図面では各構成部材の大きさの関係が実際のものとは異なる場合がある。
【００１０】
＜洗浄装置１００の構成＞
図１は、本発明の実施の形態に係る洗浄装置１００の配管系統を概略的に示す配管系統図である。図２は、本発明の実施の形態に係る洗浄装置１００が実行するマスク版の洗浄を説明するための概略斜視図である。実施の形態に係る洗浄装置１００は、スクリーン印刷に利用されるマスク版を洗浄するものであって、大型化したマスク版の洗浄に対応したものである。
【００１１】
洗浄装置１００は、洗浄タンク５、第１配管１０、ポンプ６、フィルター４、ヘッダー分岐管３、第２配管１１、自動弁１、ノズル配管２、洗浄部１５、第３配管１２、開閉弁１６、及び、制御装置２０を有している。
【００１２】
洗浄タンク５は、洗浄液が貯蔵されるものであり、下方に第１配管１０が接続され、上方に第３配管１２が接続されている。
第１配管１０は、洗浄タンク５とヘッダー分岐管３とを接続するものである。第１配管１０には、ポンプ６が設置されている。また、第１配管１０は、ポンプ６の下流で２つに分岐されている。２つの第１配管１０のそれぞれには、フィルター４が設置されている。
【００１３】
ポンプ６は、洗浄タンク５に貯蔵されている洗浄液をヘッダー分岐管３に搬送するものである。また、図１では、第１配管１０の分岐前に１つのポンプ６を設置している状態を例に示しているが、分岐した第１配管１０のそれぞれにポンプ６を設置するようにしてもよい。さらに、ポンプ６は、洗浄液を搬送できるものであればよく、構成や種類を特に限定するものではない。
【００１４】
フィルター４は、洗浄液から異物を取り除くものである。また、図１では、第１配管１０のそれぞれにフィルター４を設置している状態を例に示しているが、第１配管１０の分岐前に１つのフィルター４を設置するようにしてもよい。さらに、フィルター４は、洗浄液から異物を取り除けるものであればよく、構成や種類を特に限定するものではない。
【００１５】
ヘッダー分岐管３は、第１配管１０を流れてきた洗浄液を所定の数に分岐するものであり、下方に第１配管１０が接続され、Ｙ方向に分岐数に応じた第２配管１１が接続されている。図１では、ヘッダー分岐管３での分岐数が６つ、つまり６本の第２配管１１が接続されている場合を例に示している。また、図１に示す例では、ヘッダー分岐管３は、左右に２つ設置されている。つまり、両側のヘッダー分岐管３の分岐数は、合わせて１２分岐となっている場合を例に示している。
【００１６】
第２配管１１は、一端がヘッダー分岐管３に接続され、他端が洗浄部１５の内部に形成されている左洗浄エリア８及び右洗浄エリア９に配置され、洗浄液を洗浄部１５に送るものである。第２配管１１のそれぞれには自動弁１が設置されている。第２配管１１の他端（先端）のそれぞれには、ノズル配管２が接続されている。
【００１７】
自動弁１は、制御信号により開閉する構造であり、第２配管１１のそれぞれに１個ずつ設置されている。なお、図１に示す（１）〜（６）は、自動弁１の番号であるものとする。
【００１８】
ノズル配管２は、第２配管１１の先端に接続され、第２配管１１を流れてきた洗浄液を洗浄部１５の内部に形成されている左洗浄エリア８及び右洗浄エリア９に噴出するものである。ノズル配管２のそれぞれには、図２に示すように複数のノズル２ａが設置されている。図２に示す例では、ノズル配管２のそれぞれには、６個のノズル２ａが設置されている状態を例に示している。つまり、第２配管１１を流れてきた洗浄液は、ノズル配管２に設置されたそれぞれのノズル２ａから噴出することになる。なお、ノズル２ａの開口方向を変化させるために、ノズル配管２を回転駆動可能にしておくとよい。
【００１９】
洗浄部１５は、洗浄対象物となる大型のマスク版７を洗浄する部分であり、マスク版７を中心に洗浄部１５の内部が左洗浄エリア８、右洗浄エリア９に分けられている。つまり、マスク版７は、洗浄部１５を左右の洗浄エリアにおいて、洗浄面がそれぞれのノズル２ａの方に向くように配置される。洗浄部１５の左側面には、６本の第２配管１１が接続され、左洗浄エリア８にノズル配管２が位置している。洗浄部１５の右側面には、６本の第２配管１１が接続され、右洗浄エリア９にノズル配管２が位置している。また、洗浄部１５の左洗浄エリア８に対応する底部及び洗浄部１５の右洗浄エリア９に対応する底部には、第３配管１２が接続されている。
なお、「左」、「右」という方向を表す用語を使用しているが、これは説明を便宜的にするためのものであって、これらの用語により本発明が限定されるものではない。
【００２０】
第３配管１２は、洗浄部１５と洗浄タンク５とを接続するものであり、洗浄部１５でマスク版７の洗浄に利用された洗浄液を洗浄タンク５に戻すものである。
開閉弁１６は、手動により開閉する構造であり、第１配管１０のポンプ６の上流側に設置されている。開閉弁１６が開放されることで、洗浄液が洗浄タンク５から洗浄部１５に送られることになる。なお、開閉弁１６は、洗浄装置１００に必須の構成ではない。また、開閉弁１６として制御信号で開閉する構造を採用してもよい。
【００２１】
制御装置２０は、ＣＰＵと、各種データを記憶するＲＡＭと、各自動弁１の開閉制御を行うためのプログラム等を記憶するＲＯＭ（何れも図示せず）とを備えており、ＲＯＭ内のプログラムにしたがって洗浄装置１００の全体を制御する。また、制御装置２０は、自動弁１を個別に開閉制御できる他、ポンプ６の駆動／停止、ノズル配管２の回転動作などを制御する。なお、制御装置２０は、ポンプ６が回転数を調整できるものであればポンプの回転数を制御したり、開閉弁１６が制御信号で開閉制御できるものであれば開閉弁１６の開閉を制御したりすることもできる。
【００２２】
ここで、ノズル配管２について図２を参照しながら詳細に説明する。
ノズル配管２は、第２配管１１の先端に接続され、左洗浄エリア８及び右洗浄エリア９においてマスク版７の面と平行な方向に延びている。そして、複数のノズル２ａがマスク版７の方を向くように所定の間隔をもって配置されている。つまり、図２に示すように、左洗浄エリア８に配置されているノズル２ａと、右洗浄エリア９に配置されているノズル２ａとは、向かい合うように配置されている。
【００２３】
ヘッダー分岐管３に接続されている第２配管１１は６本ずつであり、ノズル配管２に設置されているノズル２ａは６個ずつであるため、マスク版７の両面のそれぞれには、６×６＝３６個のノズル２ａから洗浄液が噴射されることになる。
【００２４】
＜洗浄装置１００の動作＞
まず、全部の自動弁１に電源が入っていないとき、つまり自動弁１の制御をしていないときは、全部の自動弁１が開になっている。洗浄装置１００の電源を入れ洗浄スタートをすると、左洗浄エリア８及び右洗浄エリア９のそれぞれの（３）〜（６）番目の自動弁１を閉じ、ポンプ６を駆動させ、左洗浄エリア８及び右洗浄エリア９の上から（１）、（２）番目の自動弁１を開き、この部分のノズル配管２に洗浄液が供給される。
【００２５】
すなわち、開閉弁１６を開放し、ポンプ６を駆動させることで、洗浄タンク５に貯蔵されている洗浄液が、第１配管１０を流れ、２分岐されてから左右のヘッダー分岐管３に流入する。第１配管１０にはフィルター４が設置されているため、洗浄液に含まれている異物が取り除かれた状態で、洗浄液がヘッダー分岐管３に流入することになる。ヘッダー分岐管３に流入した洗浄液は、ヘッダー分岐管３に接続されている第２配管１１のうち、自動弁１が開にされている第２配管１１に流れこむ。
【００２６】
ここでは、（１）、（２）番目の自動弁１が開にされているので、この自動弁１が設置されている第２配管１１に洗浄液が流れ込むことになる。第２配管１１に流れこんだ洗浄液は、ノズル配管２を介して（１）、（２）番目の自動弁１が設置されているノズル２ａから噴射される。洗浄液は、マスク版７の上段にかかり、マスク版７を洗浄する。この洗浄を一定時間継続する。
【００２７】
その後、（３）、（４）番目の自動弁１を開にし、一時的に（１）〜（４）までのノズル配管２に洗浄液を供給する。その後すぐに（１）、（２）番目の自動弁１を閉じ、（３）、（４）番目の自動弁１が設置されているノズル２ａから洗浄液が噴射される。洗浄液は、マスク版７の中段にかかり、マスク版７を洗浄する。この洗浄を一定時間継続する。
【００２８】
同様に、（５）、（６）番目の自動弁１を開にし、一時的に（３）〜（６）までのノズル配管２に洗浄液を供給する。その後すぐに（３）、（４）番目の自動弁１を閉じ、（５）、（６）番目の自動弁１が設置されているノズル２ａから洗浄液が噴射される。洗浄液は、マスク版７の下段にかかり、マスク版７を洗浄する。この洗浄を一定時間継続する。
【００２９】
（５）、（６）番目までの自動弁１の切り替えが行われると、洗浄部１５内の洗浄対象物である大型のマスク版７の洗浄エリアすべてが洗浄されることになる。
この自動弁１の動作を２回繰り返す。
【００３０】
ここでは、マスク版７を上から下に向かって洗浄した場合を例に説明したが、自動弁１の開閉制御を上記説明の順番に限定するものではない。つまり、洗浄装置１００によれば、ノズル配管２のそれぞれに設置された自動弁１を個別に制御できるので、上記のような開閉制御によってマスク版７を洗浄することが可能になっている。
【００３１】
以上のように、洗浄装置１００では、左右６段のノズル配管２のそれぞれに自動弁１が各１個ずつ搭載されることで、最大で１２個の自動弁１のそれぞれをポンプ６の能力に合わせて開閉制御できる。よって、洗浄装置１００によれば、洗浄液を効率的に洗浄対象物であるマスク版７に噴射することができ、大型のマスク版の洗浄においても従来サイズのポンプ、タンク、フィルターの適用が可能で、装置の大きさを抑えることができる。
【００３２】
また、自動弁１の開閉制御を個別に実行することができるので、マスク版７に対して部分的に洗浄液を噴射することができる。そのため、１個のノズル２ａからの圧力や洗浄液の量を減らすことなくマスク版７の洗浄ができるため、従来と同様の洗浄力を維持することが可能になっている。
【００３３】
なお、実施の形態では、Ｙ方向６段のノズル配管２の構造を説明したが、これに限定するものではなく、洗浄対象物の大きさに応じて段数を決定すればよい。例えば、洗浄対象物であるマスク版７がさらに大型化した場合には、ノズル配管２の段数を７段以上にすればよい。ノズル配管２の段数が増えた場合でも、各ノズル配管２のそれぞれに自動弁１を設置するため、洗浄液を同時に噴射するノズル２ａを制御することができる。つまり、マスク版７が大型化した場合であっても、従来サイズのポンプ、タンク、フィルターの適用が可能で、装置の大きさを抑えることができる。
【００３４】
また、実施の形態では、左右の洗浄エリアにおいて自動弁１の開閉制御タイミングを同様に実行した場合を例に説明したが、これに限定するものではなく、左右の洗浄エリアのそれぞれで自動弁１の開閉制御タイミングを決定してもよい。また、ノズル配管２の段数も左右のそれぞれで異なる段数としてもよい。
【符号の説明】
【００３５】
１  自動弁、２  ノズル配管、２ａ  ノズル、３  ヘッダー分岐管、４  フィルター、５  洗浄タンク、６  ポンプ、７  マスク版、８  左洗浄エリア、９  右洗浄エリア、１０  第１配管、１１  第２配管、１２  第３配管、１５  洗浄部、１６  開閉弁、２０  制御装置、１００  洗浄装置。
【図１】
2017087700.tif 000003
【図２】
2017087700.tif 000004